(57)【特許請求の範囲】
【請求項１】
ダウンドロー法によって連続成形されて下方へ誘導されるガラスリボンに、その流れ方向と直交する幅方向に刻線を形成する刻設手段を備えたガラス板の製造方法において、
前記刻設手段は、
前記ガラスリボンの一面側に幅方向に亘って当接する当接面を有する定盤と、
該定盤の当接面に前記ガラスリボンを押圧しながらその他面側に前記刻線を形成する刻設刃と
を備え、
前記定盤の当接面に帯電防止部材を備えてなる、
ことを特徴とするガラス板の製造方法。
【請求項２】
前記定盤は金属板であり、
前記帯電防止部材はシート状の帯電防止シートであり、
前記帯電防止シートが前記定盤の当接面に貼付されてなる、
ことを特徴とする、請求項１に記載のガラス板の製造方法。
【請求項３】
前記帯電防止シートは弾性部材からなる、
ことを特徴とする、請求項２に記載のガラス板の製造方法。
【請求項４】
前記帯電防止シートの厚さは、０．２ｍｍ〜５ｍｍである、
ことを特徴とする、請求項２又は３に記載のガラス板の製造方法。
【請求項５】
前記定盤の前記ガラスリボンの流れ方向の幅は、５ｍｍ〜３０ｍｍである、
ことを特徴とする、請求項２〜４のいずれかに記載のガラス板の製造方法。
【請求項６】
前記ガラスリボンを支持し、前記刻線を開くように前記ガラスリボンに曲げ応力を付与する分離手段を更に備え、
前記ガラスリボンの厚さが０．４ｍｍ以下であり、
前記刻設手段は、前記ガラスリボンに前記刻線を形成した後に前記定盤を前記ガラスリボンから離反させ、
前記分離手段は、前記定盤の離反後に、前記ガラスリボンを支持する、
ことを特徴とする、請求項１〜５のいずれかに記載のガラス板の製造方法。
【請求項７】
ダウンドロー法によって連続成形されて下方へ誘導されるガラスリボンに、その流れ方向と直交する幅方向に刻線を形成する刻設手段を備えたガラス板の製造装置において、
前記刻設手段は、
前記ガラスリボンの一面側に幅方向に亘って当接する当接面を有する定盤と、
該定盤の当接面に前記ガラスリボンを押圧しながらその他面側に前記刻線を形成する刻設刃と
を備え、
前記定盤の当接面に帯電防止部材を備えてなる、
ことを特徴とするガラス板の製造装置。
【発明の詳細な説明】
【技術分野】
【０００１】
本発明は、ガラス板の製造方法に関し、詳しくはダウンドロー法によって連続成形されて下方に誘導されるガラスリボンに刻線を形成する手段を有するガラス板の製造方法に関する。
【背景技術】
【０００２】
従来、液晶ディスプレイ、プラズマディスプレイ等のフラットパネルディスプレイ（以下、単にＦＰＤともいう）用ガラス基板として使用されるガラス板を製造する手法として、例えば溶融ガラスを下方に引き出して成形するダウンドロー法が知られている。その具体例としては、例えばオーバーフローダウンドロー法やスロットダウンドロー法が挙げられる。
【０００３】
オーバーフローダウンドロー法は、溶融ガラスを耐火物からなる成形体の両側から溢流させて成形体の下端で合流させ、ガラスリボンとして下方に引き出すという手法である。一方、スロットダウンドロー法は、溶融ガラスを耐火物の底部に設けられた長孔状のスロットから流出させて、ガラスリボンとして下方に引き出すという手法である。そして、このようにして連続成形されるガラスリボンを所定の大きさに分離することで、ガラス板が製作される。
【０００４】
このように連続して成形されて下方へ誘導されるガラスリボンからガラス板を分離する場合には、例えば、ガラスリボンの移動と同期する移動式のスコアリング装置により、ガラスリボンの一方面側に定盤を当接させ、且つガラスリボンの他方面側に刻設刃により刻線を形成する（以下、刻設工程とも称する）と共に、この刻線で区画されたガラス板の分離領域を吸着手段で保持して、ガラスリボンに曲げモーメントを作用させて刻線で折り割りすることにより、ガラスリボンからガラス板を分離させて取り出している（例えば、下記特許文献１参照）。
【先行技術文献】
【特許文献】
【０００５】
【特許文献１】特開２００２−１３７９３０号公報
【発明の概要】
【発明が解決しようとする課題】
【０００６】
ところで、上記の刻設工程において、ガラスリボンに当接される定盤は、ガラスリボンの幅方向に長尺で、ガラスリボンへの当接面が平坦とされ、且つその材質が金属からなるのが通例である。
【０００７】
刻設工程では、上述のようにガラスリボンの一面側に金属製の定盤の平坦な当接面を当接し、該当接面に沿うように刻設刃を移動させるため、定盤に当接したガラスリボンが、静電気の帯電に起因して定盤に貼り付いたままの状態となり、定盤がガラスリボンから離れようとする際に、ガラスリボンに破損を来たすことがあるという問題があった。また、金属製の定盤の当接面がガラスリボンに直接接触していることに起因して、ガラスリボンが傷付けられる虞もあった。
【０００８】
以上の実情に鑑み、本発明では、ダウンドロー法によって連続成形されるガラスリボンに対して、刻設工程においてガラスリボンが定盤に貼り付くことを防止することにより、ガラスリボンに損傷を与えないことを技術的課題とする。
【課題を解決するための手段】
【０００９】
上記課題を解決するために創案された本発明のガラス板の製造方法は、ダウンドロー法によって連続成形されて下方へ誘導されるガラスリボンに、その流れ方向と直交する幅方向に刻線を形成する刻設手段を備えたガラス板の製造方法において、前記刻設手段は、前記ガラスリボンの一面側に幅方向に亘って当接する当接面を有する定盤と、該定盤の当接面に前記ガラスリボンを押圧しながらその他面側に前記刻線を形成する刻設刃とを備え、前記定盤の当接面に帯電防止部材を備えてなることを特徴とするものである。
【００１０】
本発明の製造方法によれば、定盤の当接面に帯電防止部材を備えていることから、ダウンドロー法によって成形されたガラスリボンに対して刻線を形成する際に、静電気の帯電に起因してガラスリボンが定盤に貼り付くことを防止でき、定盤がガラスリボンから離れる際にガラスリボンが破損するという事態を回避できる。したがって、ガラスリボンに対して刻線を適正に形成でき、ガラスリボンからガラス板を良好に分離、取り出すことが可能となる。
【００１１】
上記の製造方法において、前記定盤は金属板であり、前記帯電防止部材はシート状の帯電防止シートであり、前記帯電防止シートが前記定盤の当接面に貼付されてなることが好ましい。
【００１２】
このようにすれば、簡易にして、定盤に対して帯電防止性能を付与することができる。
【００１３】
上記の製造方法において、前記帯電防止シートは弾性部材からなることが好ましい。
【００１４】
このようにすれば、ガラスリボンの一面側に定盤を当接させ且つガラスリボンの他面側に刻設刃により刻線を形成する際に、適度なクッション性を付与することができ、刻設工程において定盤との接触によりガラスリボンが傷付けられる虞がなく、より良好な刻線の形成を可能にする。
【００１５】
上記の製造方法において、前記帯電防止シートの厚さは、０．２ｍｍ〜５ｍｍであることが好ましい。
【００１６】
このようにすれば、ガラスリボンに対して良好な刻線を形成する上で、より適切なクッション性を付与することができる。
【００１７】
上記の製造方法において、前記定盤の前記ガラスリボンの流れ方向の幅は、５ｍｍ〜３０ｍｍであることが好ましい。
【００１８】
このようにすれば、ガラスリボンに接触する定盤の幅を可及的に狭くすることができ、ガラスリボンの表面品位を良好に保つことができる。
【００１９】
上記の製造方法において、前記ガラスリボンを保持し、前記刻線を開くように前記ガラスリボンに曲げ応力を付与する分離手段を更に備え、前記ガラスリボンの厚みが０．４ｍｍ以下であり、前記刻設手段は、前記ガラスリボンに前記刻線を形成した後に前記定盤を前記ガラスリボンから離反させ、前記分離手段は、前記定盤の離反後に、前記ガラスリボンを保持することが好ましい。
【００２０】
ガラスリボンの厚みが０．４ｍｍ以下等に薄い場合には、ガラスリボンに発生するしわを伸ばすように刻設刃が刻線を形成するようになるため、刻線の形成よりも先に分離手段がガラスリボンを保持するとガラスリボンが破損し易くなる。一方、分離手段がガラスリボンを保持していない状態で定盤がガラスリボンから離反すると、ガラスリボンの下端部がフリーの状態となるため、静電気の帯電に起因した定盤へのガラスリボンの貼りつきの問題がより顕著となる。従って、上記構成のように、定盤の当接面に帯電防止部材を有することにより、ガラスリボンの下端部がフリーの状態であったとしても、静電気の帯電に起因してガラスリボンが定盤に貼り付くことを防止することができ、ガラスリボンの下端部が揺動することを防止することができる。
【００２１】
上記課題を解決するために創案された本発明のガラス板の製造装置は、ダウンドロー法によって連続成形されて下方へ誘導されるガラスリボンに、その流れ方向と直交する幅方向に刻線を形成する刻設手段を備えたガラス板の製造装置において、前記刻設手段は、前記ガラスリボンの一面側に幅方向に亘って当接する当接面を有する定盤と、該定盤の当接面に前記ガラスリボンを押圧しながらその他面側に前記刻線を形成する刻設刃とを備え、前記定盤の当接面に帯電防止部材を備えてなることを特徴とする。
【００２２】
上記構成によれば、既に述べた対応する構成と同様の効果を享受することができる。
【発明の効果】
【００２３】
本発明のガラス板の製造方法によれば、ダウンドロー法によって成形されたガラスリボンに対して刻線を形成する際に、静電気の帯電に起因してガラスリボンが定盤に貼り付くことを防止し、ガラスリボンが破損するという事態を回避できる。従って、ガラスリボンに対して刻線を適切に形成でき、ガラスリボンからガラス板を良好に分離、取り出すことが可能となる。
【図面の簡単な説明】
【００２４】
【図１】本発明の一実施形態に係るガラス板の製造方法の概略斜視図である。
【図２】図１の実施形態に係る製造方法の分離工程を示す概略斜視図である。
【図３】図１の実施形態に係る製造方法の分離工程を示す概略斜視図である。
【発明を実施するための形態】
【００２５】
以下、本発明の実施形態を添付図面に基づいて説明する。
【００２６】
図１に示すように、本発明の製造方法を具現化する実施形態に係るガラス板の製造装置１（以下、単に製造装置１と記載する）は、図外の上方に配備され、且つ例えばオーバーフローダウンドロー法を実施すべく溶融ガラスを溢流させる成形体を有し、この成形体から流下した溶融ガラスは、徐々に固化することにより略垂直下方に連続した状態で移動するガラスリボン２になると共に、該ガラスリボン２の表面には、予め設定された高さ位置で、刻設手段３により刻線４が形成される構成である。更に、この製造装置１は、後述するように、刻設手段３の下方に配置され且つガラスリボン２の下縁からの所定領域を前記刻線４で折り割りしてガラス板２ａとして分離する分離手段５とを備えてなる（図２、図３参照）。
【００２７】
前記刻設手段３は、ガラスリボン２の裏面に当接され、且つガラスリボン２の流れ方向と直交する幅方向に長尺な定盤３ａと、この定盤３ａにガラスリボン２を押圧しながらガラスリボン２の表面に幅方向に亘って刻線４を形成する刻設刃３ｂとを備えている。
【００２８】
定盤３ａには、ガラスリボン２の裏面側（一面側）に幅方向に亘って当接する当接面３ａ１が設けられる。そして、刻設刃３ｂは、当接面３ａ１にガラスリボン２を押圧しつつ、その表面側（他面側）に刻線４を形成する。
【００２９】
ここで、本実施形態では、前記定盤３ａの当接面３ａ１に、帯電防止部材３ｃとして、例えば、シート状樹脂であるＭＣナイロン（登録商標）、パロニア（登録商標）もしくはゴム等からなる厚さ１ｍｍの弾性シート等が貼着してある。弾性シートは、弾性変形可能な部材（弾性部材）からなり、所定の硬度を有している。
【００３０】
そして、弾性シートは定盤３ａの当接面３ａ１に両面テープを介して貼着されている。これにより、定盤３ａがガラスリボン２の一方面側に当接し、ガラスリボン２の他方面側に刻設刃３ｂにより刻線４を形成する刻設工程において、定盤３ａとガラスリボン２との間で静電気による帯電を防止することができ、定盤３ａがガラスリボン２から離れようとする際に両者の円滑な離間が達成できる。また刻設工程において、刻設刃３ｂによりガラスリボン２に刻線４を形成する際に、適度なクッション性を付与することができ、定盤３ａとの接触によりガラスリボン２が傷付けられる虞がなく、より良好な刻線４の形成を可能にする。
【００３１】
帯電防止部材３ｃの厚さは、０．２ｍｍ〜５ｍｍであることが好ましく、０．５〜４ｍｍであることがより好ましい。これにより、ガラスリボンに対して良好な刻線を形成する上で、より適切なクッション性を付与することができる。
【００３２】
定盤３ａは、ステンレス等の金属板であることが好ましい。定盤３ａ自体を棒状のゴム等の帯電防止部材自体で作製することも考えられ、この場合も良好な帯電防止効果を奏する。しかしながら、定盤３ａ自体をゴム等で形成すると金属に比べて剛性に劣るため、刻設刃３ｂによる刻線４の形成時の押圧により、定盤３ａが撓んでしまうという問題が生じるおそれがある。従って、定盤３ａについては金属板で作製することで剛性を確保し、その当接面３ａ１に帯電防止シートを設ける構成のほうが、好ましい。
【００３３】
定盤３ａのガラスリボン２の流れ方向に対する幅ｗは、５ｍｍ〜３０ｍｍであることが好ましく、１０ｍｍ〜２０ｍｍであることがより好ましい。このようにすれば、ガラスリボン２に接触する定盤３ａの幅を可及的に狭くすることができ、ガラスリボン２の表面品位を良好に保つことができる。
【００３４】
ガラスリボン２の厚さは、０．５ｍｍ以下であることが好ましく、０．４ｍｍ以下であることがより好ましく、０．３ｍｍ以下であることがさらに好ましい。ガラスリボン２の厚さが薄いほど定盤３ａの貼りつきの影響が大きいため、本発明の帯電防止部材３ｃの効果がガラスリボン２の厚さがより薄いほど発揮される。
【００３５】
定盤３ａ及び刻設刃３ｂは、上下動可能に保持されると共に、その下動速度はガラスリボン２の下降速度と同一となり得るように構成され、この両者の速度が同一となっている時に上述のようにガラスリボン２に刻線４が形成されるようになっている。また、両者は、刻設作業が終了した後、ガラスリボン２から離反しつつ、予め設定された初期位置に上動しながら復帰する。
【００３６】
分離手段５は、図３に示すように、ガラスリボン２の刻線４が形成された面の反対側の面に当接される支点部材５ａと、支点部材５ａ（刻線４）よりも下方でガラスリボン２ないしガラス板２ａを支持する支持手段５ｂとを備えている。
【００３７】
支点部材５ａは、ガラスリボン２に刻線４が形成された後、定盤３ａと入れ替われるようにして、その下端面５ａ１を刻線４が形成された位置に合致させた状態でガラスリボン２の幅方向に沿って当接される。また、支持手段５ｂは、ガラスリボン２ないしガラス板２ａの幅方向の一端部側と他端部側とにおいて各々配設されるとともに、ガラスリボン２ないしガラス板２ａの表裏面に当接して挟持する構成となっている。
【００３８】
支持手段５ｂは、ガラスリボン２からガラス板２ａを分離する際に、支点部材５ａを中心として図３に矢印Ｂで示す方向に（ガラスリボン２の面と直交する面内で）回動し、ガラスリボン２に対して刻線４が形成された表面からその裏面側に向かって刻線４を開くように折り割り力を作用させるようになっている。なお、ガラスリボン２から分離されたガラス板２ａは、支持手段５ｂによって支持された状態で、後工程へとガラス板２ａを搬送する図外の搬送手段へと引き渡されるようになっている。
【００３９】
支点部材５ａおよび支持手段５ｂは、上下動可能に保持されると共に、その下動速度はガラスリボン２の下降速度と同一となり得るように構成され、この両者の速度が同一となっている時に上述のようにガラスリボン２からガラス板２ａを分離するようになっている。また、両者は、分離作業が終了した後（支持手段５ｂは、搬送手段にガラス板２ａを引き渡した後）、ガラスリボン２から離反しつつ、予め設定された初期位置に上動しながら復帰するようになっている。
【００４０】
なお、支持手段５ｂとしては、ガラスリボン２の表裏面のいずれか一方からガラスリボン２を真空吸着して支持するものなどを利用することができる。
【００４１】
製造装置１は、刻設手段３が刻線４を形成した後、定盤３ａをガラスリボン２から離反させた後に、分離手段５（支持手段５ｂ）がガラスリボン２を支持することが好ましい。ガラスリボンの厚さが０．４ｍｍ以下と非常に薄い場合には、ガラスリボン２に発生するしわを伸ばすように刻設刃３ｂが刻線４を形成するようになる。刻線４の形成よりも先に分離手段５がガラスリボン２を支持すると、しわが伸びにくくなるため、ガラスリボン２が破損し易くなる。一方、分離手段５がガラスリボン２を支持していない状態で定盤３ａがガラスリボン２から離反すると、ガラスリボン２の下端部がフリーの状態となるため、静電気の帯電に起因した定盤３ａのガラスリボン２に対する貼りつきの問題がより顕著となる。従って、上記構成のように、定盤３ａの当接面３ａ１に帯電防止部材３ｃを有するため、ガラスリボン２の下端部がフリーの状態であったとしても、静電気の帯電に起因してガラスリボン２が定盤３ａに貼り付くことを防止することができ、ガラスリボン２の下端部が揺動することを防止することができる。
【００４２】
以上のように、本実施形態に係る製造装置１によれば、定盤３ａの当接面３ａ１に帯電防止部材３ｃを備えていることから、ダウンドロー法によって成形されたガラスリボン２に対して刻線４を形成する際に、静電気の帯電に起因してガラスリボン２が定盤３ａに貼り付くことを防止でき、定盤３ａがガラスリボン２から離れる際にガラスリボン２が破損するという事態を回避できる。したがって、ガラスリボン２に対して刻線４を適正に形成でき、ガラスリボン２からガラス板２ａを良好に分離、取り出すことが可能となる。
【００４３】
なお、本実施形態では、図１等に示すように、平板状のガラスリボン２に、平坦状の当接面３ａ１を有する定盤３ａを当接した状態で、刻設刃３ｂにより刻線４を形成する場合を説明したが、本発明はこのような刻設手段に限定されるものではない。例えば、幅方向に湾曲したガラスリボンに、この湾曲に対応した曲面（例えば、凸曲面）に形成される当接面を有する定盤を当接した状態で、刻設刃により湾曲に沿うように刻線４を形成するように構成してもよい。
【００４４】
また、本実施形態では、定盤３ａと支点部材５ａとが別体である場合を説明したが、支点部材５ａを省略して、定盤３ａが支点部材５ａの役割を兼ねるようにしてもよい。すなわち、刻設作業が終了した後、定盤３ａの下端面を、刻線４を形成した位置に合致させて、再度位置決めを行うように構成してもよい。
【産業上の利用可能性】
【００４５】
本発明に係るガラス板の製造装置は、例えば、液晶ディスプレイ、プラズマディスプレイ等のフラットパネルディスプレイ用のガラス基板として使用されるガラス板を製造する際に利用することができる。
【符号の説明】
【００４６】
１    製造装置
２    ガラスリボン
３    刻設手段
３ａ  定盤
３ａ１  当接面
３ｂ  刻設刃
３ｃ  帯電防止部材
４    刻線  
【図１】
0006647680.tif 000002
【図２】
0006647680.tif 000003
【図３】
0006647680.tif 000004